(57)【特許請求の範囲】
【請求項１】
被切断シート材（Ｗ）を広げた状態で支持可能にする通気性を有した作業支持台（２）と、該作業支持台（２）の支持上面（２ａ）を下方へ向けて吸引状態にする吸引手段（３）と、上記作業支持台（２）の支持上面（２ａ）に沿って平面移動可能に設けられた被切断シート材（Ｗ）用の切断ヘッド（４）と、該切断ヘッド（４）に対して少なくともその移動方向後流側に付随して設けられ作業支持台（２）の支持上面（２ａ）に広げられる被切断シート材（Ｗ）に対する押下レベルとその上方退避レベルとの間で上下動可能とされたシート押さえ部材（５）とを有するシート材の切断装置において、
前記切断ヘッド（４）は、本体部（４ａ）の下部に水平回転軸（１３）まわりで回転駆動可能に支持された丸刃（１２）と、該丸刃（１２）を本体部（４ａ）とともにその場旋回させる旋回駆動部（１６）と、前記本体部（４ａ）を旋回駆動部（１６）とともに上下動させる昇降駆動部（１７）とを具備しており、
前記シート押さえ部材（５）は、前記切断ヘッド（４）の本体部（４ａ）に複数のガイド支柱（２４）と昇降ガイド（２５）とにより上下方向に昇降可能に設けられているとともに、常時、バネ（２６）によって下向きに付勢されており、
前記作業支持台（２）の下方には、前記切断ヘッド（４）と同速・同方向へ同期的に平面移動可能に設けられた下部移動体（３０）が設けられており、該下部移動体（３０）には、前記シート押さえ部材（５）との間で磁気反発作用を生ずる磁力発生部（３５）が設けられており、
この磁力発生部（３５）は、前記バネ（２６）によるシート押さえ部材（５）の下向き付勢力に抗してシート押さえ部材（５）を押し上げて被切断シート材（Ｗ）の押圧を解放する構成とされていることを特徴とするシート材の切断装置。
【請求項２】
被切断シート材（Ｗ）を広げた状態で支持可能にする通気性を有した作業支持台（２）と、該作業支持台（２）の支持上面（２ａ）を下方へ向けて吸引状態にする吸引手段（３）と、上記作業支持台（２）の支持上面（２ａ）に沿って平面移動可能に設けられた被切断シート材（Ｗ）用の切断ヘッド（４）と、該切断ヘッド（４）に対して少なくともその移動方向後流側に付随して設けられ作業支持台（２）の支持上面（２ａ）に広げられる被切断シート材（Ｗ）に対する押下レベルとその上方退避レベルとの間で上下動可能とされたシート押さえ部材（５）とを有するシート材の切断装置において、
前記切断ヘッド（４）は、本体部（４ａ）の下部に水平回転軸（１３）まわりで回転駆動可能に支持された丸刃（１２）と、該丸刃（１２）を本体部（４ａ）とともにその場旋回させる旋回駆動部（１６）と、前記本体部（４ａ）を旋回駆動部（１６）とともに上下動させる昇降駆動部（１７）とを具備しており、
前記シート押さえ部材（５）は、前記切断ヘッド（４）の本体部（４ａ）に複数のガイド支柱（２４）と昇降ガイド（２５）とにより上下方向に昇降可能に設けられているとともに、常時、バネ（２６’）によって上向きに付勢されており、
前記作業支持台（２）の下方には、前記切断ヘッド（４）と同速・同方向へ同期的に平面移動可能に設けられた下部移動体（３０）が設けられており、該下部移動体（３０）には、前記シート押さえ部材（５）との間で磁気吸引作用を生ずる磁力発生部（３５）が設けられており、
この磁力発生部（３５）は、前記バネ（２６’）によるシート押さえ部材（５）の上向き付勢力に抗してシート押さえ部材（５）を押し下げて被切断シート材（Ｗ）を押圧する構成とされていることを特徴とするシート材の切断装置。
【請求項３】
被切断シート材（Ｗ）を広げた状態で支持可能にする通気性を有した作業支持台（２）と、該作業支持台（２）の支持上面（２ａ）を下方へ向けて吸引状態にする吸引手段（３）と、上記作業支持台（２）の支持上面（２ａ）に沿って平面移動可能に設けられた被切断シート材（Ｗ）用の切断ヘッド（４）と、該切断ヘッド（４）に対して少なくともその移動方向後流側に付随して設けられ作業支持台（２）の支持上面（２ａ）に広げられる被切断シート材（Ｗ）に対する押下レベルとその上方退避レベルとの間で上下動可能とされたシート押さえ部材（５）とを有するシート材の切断装置において、
前記切断ヘッド（４）は、本体部（４ａ）の下部に水平回転軸（１３）まわりで回転駆動可能に支持された丸刃（１２）と、該丸刃（１２）を本体部（４ａ）とともにその場旋回させる旋回駆動部（１６）と、前記本体部（４ａ）を旋回駆動部（１６）とともに上下動させる昇降駆動部（１７）とを具備しており、
前記シート押さえ部材（５）は、前記切断ヘッド（４）の本体部（４ａ）に複数のガイド支柱（２４）と昇降ガイド（２５）とにより上下方向に昇降可能に設けられているとともに、常時、バネ（２６）によって下向きに付勢されており、
前記切断ヘッド（４）の本体部（４ａ）には、前記バネ（２６）によるシート押さえ部材（５）の下向き付勢力に抗してシート押さえ部材（５）を押し上げて被切断シート材（Ｗ）の押圧を解放するための電磁石からなる磁力発生部（３５）を設けた構成とされていることを特徴とするシート材の切断装置。
【請求項４】
前記吸引手段（３）は、前記下部移動体（３０）に設けられて前記切断ヘッド（４）に対応した一部領域だけを吸引状態にする吸引ヘッドを有したものとなっていることを特徴とする請求項１又は請求項２記載のシート材の切断装置。
【発明の詳細な説明】
【０００１】
【発明の属する技術分野】
本発明は、シート材の切断装置に関するものである。
【０００２】
【従来の技術】
生地等の薄いシート材を切断する場合（以下、この切断対象となるシート材を「被切断シート材」と言う）に用いる切断装置としては、被切断シート材を広げた状態で支持可能にする通気性を有した作業支持台と、この作業支持台の支持上面を下方へ向けて吸引状態にする吸引手段と、作業支持台上で吸着保持された被切断シート材を回転させた丸刃で切断可能にする方式等の切断ヘッドと、この切断ヘッドを作業支持台の支持上面に沿って平面移動させるヘッド移動手段とを有したものがある。
【０００３】
この切断装置では、まず作業支持台上へ被切断シート材を広げ置き、その上からビニルシート等の非通気性を有する吸着補助シートを全面的に被せ置いた状態にして、そのうえで吸引手段を作動させる。
これにより吸着補助シートが作業支持台に全面的且つ密着的に張り付く状態になり、結果として、この吸着補助シートと作業支持台との上下間で被切断シート材が平坦状態を維持して吸着保持されるので、このまま切断ヘッドを吸着補助シートの上から作業支持台へ向けて押しつけつつ、所定方向へ平面移動させることで、この吸着補助シートと一緒に被切断シート材を切断する（所定形状に切り出す）というものであった。
【０００４】
なお、吸着補助シートの使用は、ランニングコストの高騰化や、切出したシート部品から吸着補助シートを剥ぎ取る面倒化等を招来するため、従来、吸引手段の吸引ヘッドを小型化して、これを作業支持台の下部で切断ヘッドと同速・同方向へ同期的に平面移動可能に設けることによって吸着補助シートの使用を不要化した切断装置が提案されている（特許第２９６６４０９号公報等参照）。
【０００５】
【発明が解決しようとする課題】
切断ヘッドとして丸刃を用いるタイプの切断装置では、予め丸刃を所定回転数で回転させてからこれを下降させて、作業支持台上の被切断シート材へ押し付け、もって切断開始させることになる。
しかし、作業支持台に対する被切断シート材の吸着力が十分でないと、丸刃が被切断シート材に接触した瞬間に、この丸刃の回転方向後方部で被切断シート材において波状に膨れた浮き上がり皺が発生することになっていた。
【０００６】
このような浮き上がり皺ができると、丸刃が目標とする切断開始点から位置ズレした（先送り状態になる）のと実質的に同じことになり、結果として、この目標切断開始点に切り残し部分を発生させることに繋がり、シート部品の切り出しがうまくできない（取り出し難くなるか又は無理に取り出したときの生地のほつれを発生させる）ということになっていた。
このようなことは、上記したように吸着補助シートの使用を不要化した切断装置を用いる場合や、被切断シート材として通気性の豊富なものを用いた場合等に見受けられるものであった。
【０００７】
本発明は、上記事情に鑑みてなされたものであって、被切断シート材に対してその目標切断開始点に切り残し部分を発生させることがないものとして、シート部品の切り出しの容易化を図れるようにしたシート材の切断装置を提供することを目的とする。
【０００８】
【課題を解決するための手段】
前記目的を達成するために、本発明は次の手段を講じた。
即ち、本発明に係るシート材の切断装置は、作業支持台と、吸引手段と、切断ヘッドと、シート押さえ部材とを有している。
作業支持台は、被切断シート材を広げた状態で支持可能にする広さを有し、且つ通気性を有したものである。
なお、この作業支持台は、その支持上面が一方向的に循環走行可能になされた搬送コンベアとして構成することができる。
【０００９】
吸引手段は、作業支持台の支持上面をその下方へ向けて吸引状態にするものである。
切断ヘッドは、作業支持台の支持上面上へ広げ置かれた被切断シート材を切断可能にするものである。この切断ヘッドは、適宜機構のヘッド移動手段により、作業支持台に沿って平面移動可能に設けられている。
シート押さえ部材は、切断ヘッドに対して少なくともその移動方向後流側に付随して設けられたもので、作業支持台の支持上面に広げられる被切断シート材に対する押下レベルと、それよりも上方の退避レベルとの間で上下動可能となっている。
【００１０】
このように、本発明に係るシート材の切断装置でも、作業支持台上へ被切断シート材を広げ置き、この状態で作業支持台の支持上面を下方へ向けて吸引状態にさせて被切断シート材を作業支持台の支持上面上に吸着保持させ、この被切断シート材を切断するものであるが、切断ヘッドに付随してシート押さえ部材が設けられているので、このシート押さえ部材により、被切断シート材において波状に膨れた浮き上がり皺が発生するのを防止できる。
シート押さえ部材を押下レベルと上方退避レベルとの間で上下動させるための構造としては、次のような構造を採用可能である。
【００１１】
すなわち、作業支持台の下方に対し、上記切断ヘッドと同速・同方向へ同期的に平面移動可能となる下部移動体を設けておく。
そして、この下部移動体には、上記シート押さえ部材との間で磁気反発作用又は磁気吸引作用を生ずる磁力発生部を設けておくものとして、この磁力発生部の上下動に伴わせてシート押さえ部材を上下動可能にさせる構造である。
磁気反発作用を利用する場合では、シート押さえ部材に押下レベルへ向けたバネ付勢等をしておくのが好ましく、また磁気吸引作用を利用する場合では、シート押さえ部材に上方退避レベルへ向けたバネ付勢等をしておくのが好ましい。
【００１２】
なお、上記構造に代えて、下部移動体に設ける磁力発生部として電磁石等を採用し、これを励磁させるか否かの切り替えによっててシート押さえ部材を上下動させるようにしてもよい。
吸引手段は、前記下部移動体に設けられて前記切断ヘッドに対応した一部領域だけを吸引状態にする吸引ヘッドを有したものとすることができる。
【００１３】
【発明の実施の形態】
以下、本発明の実施の形態を、図面に基づき説明する。
図１乃至図７は、本発明に係るシート材切断装置１の第１実施形態を示している。
なお、被切断シート材Ｗは、連続した帯状を呈した形体で供給される生地である（通気性が豊富な物であるか否かは問わない）ものとして説明する。
このシート材切断装置１は、作業支持台２と、吸引手段３と、切断ヘッド４と、シート押さえ部材５とを有している。
【００１４】
作業支持台２は、被切断シート材Ｗを広げた状態で支持可能なように、それに必要な十分の広さの支持上面２ａを有しており、且つこの支持上面２ａが、通気性を有したものとされている。
本第１実施形態において、この作業支持台２は、エンドレスの帯ベルト７を用いた搬送コンベア（帯ベルトコンベア）として構成されたものとしてある。従って、帯ベルト７が全体として循環走行されるときにその上部張り側を通過する部分で、絶えず支持上面２ａが形成されることになる。
【００１５】
この搬送コンベアは、図２において、理解の容易な概念図として示してあるように、架設用ローラ８の一方（手前側で見えない）がモータ９によって駆動される駆動コンベアとされている。そして、この作業支持台２に対して、支持上面２ａとしての搬送方向上流端側（図２右側）から同下流側へ向けて被切断シート材Ｗが送り込まれるものとなっている。
切断ヘッド４は、作業支持台２の支持上面２ａ上に広げられる被切断シート材Ｗを所望形状に切断可能にしているところであって、本第１実施形態では、図３に示すように、丸刃１２を水平回転軸１３まわりで回転させる方式が採用されている。
【００１６】
この切断ヘッド４は、ヘッド移動手段１５によって作業支持台２の上方を任意方向へ向けて移動可能になされている。
このヘッド移動手段１５は、丸刃１２の最下端（回転中心の真下）位置を中心としたその場旋回を行わせる旋回駆動部１６と、上下動（作業支持台２の支持上面２ａに対する接離動作）を行わせる昇降駆動部１７と、作業支持台２の幅方向に沿った往復移動を行わせる幅方向駆動部１８（図１参照）と、作業支持台２の長手方向に沿った往復移動を行わせる長手方向駆動部１９（図１参照）とを有したものとなっている。
【００１７】
このヘッド移動手段１５における各駆動部１６〜１９は、いずれも従来公知の機構・器具を採用乃至組み合わせたもので、例えば旋回駆動部１６ではステッピングモータ等を用いればよいし、昇降駆動部１７では流体圧シリンダ等を用いればよいし、幅方向駆動部１８や長手方向駆動部１９では、ネジ送り機構や流体圧シリンダとリニヤガイドとの組み合わせ等とすればよいものである。
なお、本第１実施形態のように作業支持台２を搬送コンベアとして構成している場合では、被切断シート材Ｗに対して必然的に搬送駆動が与えられることになるので、ヘッド移動手段１５において、上記長手方向駆動部１９を不要化することも不可能なことではない。
【００１８】
図４及び図５に示すように、シート押さえ部材５は、切断ヘッド４で被切断シート材Ｗを切断するときに、この切断位置まわりの被切断シート材Ｗを押え込んで、被切断シート材Ｗに位置ズレや浮き上がり皺が発生しないように保持するところである。
図６に示すように、このシート押さえ部材５には長方形の金属プレートが用いられており、この板面中央部には、切断ヘッド４の丸刃１２の下端部を通過させて下方へ突出可能とさせるための刃溝２３が設けられている。
【００１９】
このシート押さえ部材５の四隅部にはガイド支柱２４が結合されており、これらガイド支柱２４は、図４及び図５に示すように、切断ヘッド４の本体部４ａ（旋回駆動部１６によって丸刃１２等と一緒に旋回される部分）に設けられた昇降ガイド２５に上下動自在に保持されると共に、各ガイド支柱２４にはシート押さえ部材５を下向きに付勢するバネ２６が嵌め付けられている。
従って、このシート押さえ部材５により被切断シート材Ｗを押える作用は、これらバネ２６のバネ力により得られるものとなっている。
【００２０】
また、このシート押さえ部材５には、刃溝２３の長手方向両側に、それぞれ複数個ずつの永久磁石２７が設けられている。これら永久磁石２７は、後述する磁力発生部３５と所定の接近距離におかれたときに、この磁力発生部３５との間で磁気反発力を発生させるためのものであって、刃溝２３の長手方向中央位置を中心とする仮想円弧ラインに沿って並べられている。
これに対し、作業支持台２の下方には下部移動体３０が設けられている。
この下部移動体３０は、上方を開放させた箱状のもので、切断ヘッド４の真下位置に対応する位置付けとされている。
【００２１】
また図１に示したように、この下部移動体３０は、作業支持台２の幅方向に沿った往復移動を行わせる幅方向駆動部３１と、作業支持台２の長手方向に沿った往復移動を行わせる長手方向駆動部３２とを有したものとなっている。
これら幅方向駆動部３１や長手方向駆動部３２は、切断ヘッド４のヘッド移動手段１５に組み込まれた幅方向駆動部１８や長手方向駆動部１９と略同じ構造のものであり、しかもこれら各駆動部１８，１９と連動してそれぞれ同じ動作をするものとなっている。
【００２２】
従って、下部移動体３０は、切断ヘッド４が作業支持台２上で移動するのに合わせて、これと同速・同方向へ同期的に平面移動するものとなっている。
この下部移動体３０には、磁力発生部３５と、この磁力発生部３５を上下動させるリフト部３６とが設けられている。
磁力発生部３５は、上記したようにシート押さえ部材５に設けられた永久磁石２７との間で磁気反発作用を生起可能としたものであって、図７に示すように、リング状に形成されたホルダー部材３７に対し、その周方向に沿った全周に複数の永久磁石３８が取り付けられた構造となっている。
【００２３】
言うまでもなく、シート押さえ部材５側の永久磁石２７と、磁力発生部３５側の永久磁石３８とは、互いに同極同士となっている。
磁力発生部３５側のこれら永久磁石３８は、切断ヘッド４が旋回によってどの向きになっても、確実に、シート押さえ部材５側の永久磁石２７と合致する位置関係となって常に磁気反発作用が得られるようにするため、シート押さえ部材５側の永久磁石２７が配置された仮想円弧ラインと同じ半径の仮想円弧ラインに沿って並べられている。
【００２４】
上記リフト部３６には流体圧シリンダ等が用いられている。このリフト部３６にはモータ駆動機構やソレノイド等を採用することもできるが、動作スピードが早く、構造簡潔で、パワフルである流体圧シリンダが最も好適である。
これらの説明から明らかなように、この磁力発生部３５において、図５に実線で示すようにリフト部３６が永久磁石３８を下降させている状態では、この永久磁石３８とシート押さえ部材５側の永久磁石２７との間で磁気反発作用は生じないか又は微弱であり、シート押さえ部材５を押し上げることはない。
【００２５】
そのため、シート押さえ部材５は、作業支持台２の支持上面２ａに広げられた被切断シート材Ｗをバネ２６のバネ力によって押さえ込み、被切断シート材Ｗの位置ズレや浮き上がり皺の発生を防止するものとなる。
そして、この状態からリフト部３６が永久磁石３８を上昇させてゆくと、この永久磁石３８とシート押さえ部材５側の永久磁石２７とが所定の接近距離に達したときに、図４に示すように磁気反発作用とバネ２６のバネ力とのバランスが反転して、シート押さえ部材５がバネ２６のバネ力に抗しながら押し上げられるものとなる。
【００２６】
そのため、シート押さえ部材５は、作業支持台２の支持上面２ａに広げられた被切断シート材Ｗを解放し、互いの相対移動が自由になるものである。
このようにして、シート押さえ部材５は、作業支持台２の支持上面２ａに広げられる被切断シート材Ｗに対する押下レベルと、それよりも上方の退避レベルとの間で上下動可能となっている。
なお、この磁力発生部３５では、永久磁石３８に代えて電磁石を採用することも可能である。この場合、磁力発生部３５において電磁石を励磁させるか否かの切り替えができることになり、この切り替えによってシート押さえ部材５を上下動させることができるものとなる。
【００２７】
このようにする場合は、この磁力発生部３５に対してリフト部３６を設けない構造とすることも可能になる。
また、シート押さえ部材５は、切断ヘッド４が切断のため移動する方向に対し、少なくともその後流側において被切断シート材Ｗを押さえられればよいものである。ただ、好ましくは切断位置の両サイド、即ち、丸刃１２の両脇部も押さえるのがよいとされる。従って、図６に示した状態で、その左右方向中心部から一方側へのみ延びる形体（半分だけの形体）とすることもできる。
【００２８】
しかし、上記したように切断ヘッド４は旋回駆動部１６によってその場旋回が可能であり、これによって切断時の移動方向は行き戻りにおいて制限されないことになるので、実際には図示したように図６の左右方向（切断時に丸刃１２を移動させる方向）で対称形を呈したものとしている。
上記吸引手段３は、作業支持台２の支持上面２ａをその下側から吸引状態にするところである。
本第１実施形態では、上記したように作業支持台２が搬送コンベアとして構成されているため、この吸引手段３として、搬送コンベアの上部張り側（即ち、作業支持台２の支持上面２ａ）とされる帯ベルト７の裏面部へ向けて吸引口を当接させた吸引ボックスを設け、この吸引ボックス内を真空ポンプ等（図示略）で吸引可能にする構造を採用したものであるが、更に、この吸引ボックスとして、上記した下部移動体３０をそのまま兼用させるものとしてある。
【００２９】
すなわち、作業支持台２の支持上面２ａに被切断シート材Ｗが送り込まれると、この吸引手段３は吸引ボックス（下部移動体３０）内を吸引して、この上方領域となる支持上面２ａで被切断シート材Ｗを吸着保持させるものである。
このとき、吸引ボックス、即ち、下部移動体３０は、上記したように切断ヘッド４の幅方向駆動部１８や長手方向駆動部１９と連動可能な幅方向駆動部３１や長手方向駆動部３２を有している。
従って、この吸引ボックスによる被切断シート材Ｗの吸着保持領域は、切断ヘッド４が作業支持台２上で移動するのに合わせて、必然的に、これと同速・同方向へ同期的に平面移動するものとなっている。
【００３０】
なお、下部移動体３０を吸引ボックスとして兼用させるために、図４及び図５に示したように、この下部移動体３０の上端周部全周に、エア漏れを防止すると共に滑りを良好にするパッキン４０を取り付けてある。
次に、上記したシート材切断装置１の動作状況を説明する。
作業支持台２における支持上面２ａの搬送方向上流端側へ被切断シート材Ｗを供給し、作業支持台２を搬送コンベアとして駆動させる。また吸引手段３を作動させておく。
【００３１】
これにより、吸引ボックス（下部移動体３０）上に対応する作業支持台２の支持上面２ａ上で被切断シート材Ｗが平坦状態を維持して吸着保持される。
また、磁力発生部３５ではリフト部３６を下降状態とさせ、これによって永久磁石３８，２７間の磁気反発作用を不発生にして、バネ２６のバネ力によりシート押さえ部材５で被切断シート材Ｗを押さえ込み状態とさせる。
そこで、切断ヘッド４及びヘッド移動手段１５を作動させて、被切断シート材Ｗを所定形状に切断する。このとき、被切断シート材Ｗは、その位置ズレや浮き上がり皺を発生しない状態に維持されるので、その切断開始点において切り残し部分を発生させることはない。
【００３２】
図８及び図９は、本発明に係るシート材切断装置１の第２実施形態を示している。
本第２実施形態のシート切断装置１が、上記した第１実施形態のものと最も異なるところは、下部移動体３０に設けられた磁力発生部３５が、シート押さえ部材５に設けられた永久磁石２７との間で磁気吸引作用を生起可能となっている点にある。
すなわち、シート押さえ部材５側の永久磁石２７と、磁力発生部３５側の永久磁石３８とは、互いに異極同士となっている。また、これに伴い、シート押さえ部材５のガイド支柱２４に嵌め付けられたバネ２６’は、シート押さえ部材５を上向きに付勢する引張バネとして用いられている。
【００３３】
その他の構成や構造については、第１実施形態のものと略同じである。
上記のような差異点により、本第２実施形態では次のような動作状況となる。
すなわち、磁力発生部３５において、図８に実線で示すようにリフト部３６が永久磁石３８を上昇させているときに、この永久磁石３８とシート押さえ部材５側の永久磁石２７との間で磁気吸引作用が生じ、シート押さえ部材５はバネ２６’のバネ力に抗して引き下げられる。
そのため、シート押さえ部材５は、作業支持台２の支持上面２ａに広げられた被切断シート材Ｗを磁気吸引作用自体で押さえ込むことになり、これによって被切断シート材Ｗの位置ズレや浮き上がり皺の発生を防止するものとなる。
【００３４】
そして、この状態からリフト部３６が永久磁石３８を下降させてゆくと、この永久磁石３８とシート押さえ部材５側の永久磁石２７とが所定の離反距離に達したときに、図９に示すように、磁気吸引作用とバネ２６’のバネ力とのバランスが反転して、シート押さえ部材５がバネ２６のバネ力によって引き上げられるものとなる。
そのため、シート押さえ部材５は、作業支持台２の支持上面２ａに広げられた被切断シート材Ｗを解放し、互いの相対移動が自由になるものである。
【００３５】
このようにして、シート押さえ部材５は、作業支持台２の支持上面２ａに広げられる被切断シート材Ｗに対する押下レベルと、それよりも上方の退避レベルとの間で上下動可能となっている。
なお、この第２実施形態においても、磁力発生部３５では、永久磁石３８に代えて電磁石を採用することが可能である。この場合、磁力発生部３５において電磁石を励磁させるか否かの切り替えができることになり、この切り替えによってシート押さえ部材５を上下動させることができるものとなる。
【００３６】
このようにする場合は、この磁力発生部３５に対してリフト部３６を設けない構造とすることも可能になる。
これら第１実施形態及び第２実施形態の差異として、磁気反発作用を採用するか、或いは磁気吸引作用を採用するかは、なるべくなら、第１実施形態のように磁気反発作用を採用するのが好適である。この理由は、磁気反発作用の方が、利用する作用の発生時点として永久磁石２７、３８の相互間距離を設定し易い（即ち、この作用とバネ２６のバネ力とのバランスを調節しやすい）点、及びこの設定が安定する点、更に得られる作用力が大きい点等による。
【００３７】
図１０は、本発明に係るシート材切断装置１の第３実施形態を示している。
本第３実施形態のシート切断装置１では、上記第１実施形態や第２実施形態のものとは異なり、磁力発生部３５を、作業支持台２の下方ではなく、切断ヘッド４に対して設けたものである。
ただ、このようにする場合、切断ヘッド４の旋回を邪魔しないようにする、という理由から、磁力発生部３５を上下動させるような構造をも切断ヘッド４に組み込むのは実質的に困難乃至不可能であるので、磁力発生部３５は電磁石として、その配線にロータリ接点（図示略）を用いる等の対処を採ることが必要になってくる。
【００３８】
このようなことから、本第３実施形態では、作業支持台２の下方に、磁力発生部３５を設けることだけを理由としては、わざわざ下部移動体３０を設ける必要がない（吸引手段３の吸引ボックスとしての存在であれば設ければよい）ために、これに伴う構造の簡潔化を図ることも可能になる。
ところで、本発明は、上記した各実施形態に限定されるものではなく、実施の形態に応じて適宜変更可能である。
例えば、第２実施形態のように磁気吸引作用を利用する場合において、シート押さえ部材５に永久磁石２７を設けることは限定されるものではなく、単に、シート押さえ部材５を磁性材料製としておくだけでもよい。
【００３９】
作業支持台２は、固定されたテーブルとして構成することもできる。
吸引手段３において、吸引ボックスは、作業支持台２の支持上面２ａに対してその搬送方向の全長にわたる範囲で設けるようにしてもよいし、一部領域に限定して設けるようにしてもよい。
切断ヘッド４には、被切断シート材Ｗの材質や厚さ、切断のパターン等に応じて、カッター刃を高速で上下動させる方式等を採用することもできる。
【００４０】
【発明の効果】
以上の説明から明らかなように、本発明に係るシート材の切断装置では、被切断シート材の切断を開始する時点で、被切断シート材をシート押さえ部材で作業支持台上へ押し付けるようにしているので、被切断シート材の目標切断開始点に切り残し部分を発生させることがなく、従って、シート部品の切り出しの容易化が図れるものである。
【図面の簡単な説明】
【図１】  本発明に係るシート材切断装置の第１実施形態を示した全体斜視図である。
【図２】  作業支持台としての搬送コンベアを理解し易いように概念的に示した斜視図である。
【図３】  第１実施形態の切断装置で採用された切断ヘッドを拡大して示す正面図である。
【図４】  図３の切断ヘッドを更に拡大し下部移動体との相互関係を示した正面断面図である。
【図５】  図４からの動作状況を示した正面断面図である。
【図６】  図４のＡ−Ａ線断面図である。
【図７】  図５のＢ−Ｂ線矢視図である。
【図８】  本発明に係るシート材切断装置の第２実施形態で採用された切断ヘッドを図４と同じ視点で示した正面断面図である。
【図９】  図８からの動作状況を示した正面断面図である。
【図１０】  本発明に係るシート材切断装置の第３実施形態で採用された切断ヘッドを図４と同じ視点で示した正面図である。
【符号の説明】
１    シート材切断装置
２    作業支持台
２ａ  支持上面
３    吸引手段
４    切断ヘッド
５    シート押さえ部材
３０    下部移動体（吸引ヘッド兼用）
３５    磁力発生部
Ｗ    被切断シート材
【図１】
0004471447.tif 000002
【図２】
0004471447.tif 000003
【図３】
0004471447.tif 000004
【図４】
0004471447.tif 000005
【図５】
0004471447.tif 000006
【図６】
0004471447.tif 000007
【図７】
0004471447.tif 000008
【図８】
0004471447.tif 000009
【図９】
0004471447.tif 000010
【図１０】
0004471447.tif 000011